(57)【要約】【課題】糸屑捕集装置が複数備えるフィルタ部材の装着忘れを防止し、乾燥性能の低下を抑制すると共に乾燥機の早期故障を回避する。【解決手段】糸屑捕集装置（30）は、ケース状の下側フィルタ部材（31）と、該下側フィルタ部材（31）に着脱可能に収容されるケース状の上側フィルタ部材（35）と、下側フィルタ部材（31）及び該下側フィルタ部材（31）に収容された上側フィルタ部材（35）が着脱可能に装着されるフィルタケース（43）と、下側フィルタ部材（31）及び上側フィルタ部材（35）がフィルタケース（43）に装着されているか否かを検知する着脱検知手段（50）とを備える。【選択図】図３
2014064645.tif 000002
【特許請求の範囲】
【請求項１】
衣類が収容される回転ドラムと、
前記回転ドラム内に空気を給気する給気路と、
前記回転ドラム内から空気を排気する排気路と、
前記排気路に設けられて衣類から発生した糸屑を捕集する糸屑捕集装置と、を備えた衣類乾燥機であって、
前記糸屑捕集装置は、ケース状の第１フィルタ部材と、該第１フィルタ部材に着脱可能に収容されるケース状の第２フィルタ部材と、前記第１フィルタ部材及び該第１フィルタ部材に収容された第２フィルタ部材が着脱可能に装着されるフィルタケースと、前記第１フィルタ部材及び第２フィルタ部材が前記フィルタケースに装着されているか否かを検知する着脱検知手段と、を備え、
前記着脱検知手段は、前記第１フィルタ部材又は第２フィルタ部材に取り付けられた被検出体と、前記フィルタケースに取り付けられ、前記被検出体の近接を検出する近接センサと、前記第２フィルタ部材が前記第１フィルタ部材に収容されていない場合に前記被検出体が前記近接センサの検出範囲外に位置するように、且つ前記第２フィルタ部材が前記第１フィルタ部材に収容されている場合に前記被検出体が前記近接センサの検出範囲内に位置するように、前記被検出体を移動させる可動機構と、を備える
ことを特徴とする衣類乾燥機。
【請求項２】
請求項１に記載の衣類乾燥機において、
前記第２フィルタ部材は、前記第１フィルタ部材に収容された状態で、前記第１フィルタの内部に収容される被収容部と、前記第１フィルタ部材の収容口から外部にはみ出す外出部と、を有し、
前記可動機構は、前記被検出体を保持する保持部材と、前記外出部の外側面に取り付けられて前記保持部材を前記第１フィルタ部材と前記第２フィルタ部材との着脱方向にスライド可能に支持する支持部材と、を備え、
前記保持部材は、前記支持部材から前記第２フィルタ部材の被収容部側に突出する突出片を有し、
前記突出片は、前記第２フィルタ部材が前記第１フィルタ部材に収容される過程で、前記第１フィルタ部材の収容口の縁部に当接して、前記被検出体を前記近接センサの検出範囲外から検出範囲内に押し込む
ことを特徴とする衣類乾燥機。
【請求項３】
請求項２に記載の衣類乾燥機において、
前記支持部材は、前記被検出体が前記近接センサの検出範囲外に位置する下側位置と前記近接センサの検出範囲内に位置する上側位置との間で移動するように、前記保持部材を上下方向にスライド可能に支持する
ことを特徴とする衣類乾燥機。
【請求項４】
請求項３に記載の衣類乾燥機において、
前記被検出体は、前記第２フィルタ部材が前記第１フィルタ部材に収容されていない場合に、自重によって前記下側位置に配置される
ことを特徴とする衣類乾燥機。
【請求項５】
請求項３に記載の衣類乾燥機において、
前記被検出体又は保持部材を下方に付勢する付勢部材をさらに備える  
ことを特徴とする衣類乾燥機。
【請求項６】
請求項１〜５のいずれか１項に記載の衣類乾燥機において、
前記被検出体は磁石であり、
前記近接センサはリードスイッチである
ことを特徴とする衣類乾燥機。
【発明の詳細な説明】
【技術分野】
【０００１】
本発明は、衣類乾燥機に関し、特に、複数のフィルタ部材を備えた糸屑捕集装置についてフィルタ部材の装着忘れを防止する対策に関するものである。
【背景技術】
【０００２】
衣類乾燥機には、衣類の乾燥に伴って発生する糸屑が送風通路や送風ファンに堆積したり凝縮器等に進入することを防止するために、衣類を収容する回転ドラムから空気を排気する排気路に糸屑を捕集する糸屑捕集装置が設けられている。糸屑捕集装置は、排気中に含まれる糸屑を捕捉するフィルタ部材を備えている。このフィルタ部材は、捕集した糸屑を必要に応じて使用者が除去して清掃できるように、乾燥機本体に対して着脱可能に設けられている。
【０００３】
特許文献１には、糸屑捕集装置（糸屑回収装置）を、乾燥機本体の前面上部に略水平方向に着脱自在に配設することにより、糸屑捕集装置の存在を使用者に認識させて、糸屑捕集装置の清掃を促し、使用者が気づかないうちに糸屑捕集装置に糸屑が堆積し送風能力が低下して乾燥性能が著しく低下することを極力少なくする構成が開示されている。
【０００４】
また、特許文献２には、糸屑捕集装置について、乾燥工程時の温風入力側に設けられた袋状の第１フィルタ部材と、温風出力側に設けられた面状の第２フィルタ部材と、を備え、第１フィルタ部材のメッシュを粗とし、第２フィルタ部材のメッシュを密とすることにより、衣類から発生した糸屑などの大きいリント類を第１のフィルタ部材で捕捉し、埃などの小さいリント類を第２フィルタ部材で捕捉するようにした構成が開示されている。
【先行技術文献】
【特許文献】
【０００５】
【特許文献１】特開２００６−０８１５７４号公報
【特許文献２】特開２００１−３００１９２号公報
【発明の概要】
【発明が解決しようとする課題】
【０００６】
糸屑捕集装置による糸屑の捕捉率を上げるには、特許文献２に開示されているように、フィルタ部材を複数組み合わせて設けることが効果的である。そして、これら複数のフィルタ部材は、捕集した糸屑を清掃しやすいように、互いに分離可能であり、且つ乾燥機本体に対してそれぞれ着脱可能に設けられていることが望ましい。
【０００７】
しかし、個々のフィルタ部材を乾燥機本体に対して着脱可能に設けると、特許文献１の構成を採っても、使用者がいずれかのフィルタ部材を装着し忘れるおそれがある。仮に、１つでもフィルタ部材が装着されていない状態で乾燥工程を実施すると、糸屑捕集装置により捕捉し損ねた糸屑が凝縮器等に侵入するため、乾燥性能が著しく低下したり、衣類乾燥機に早期故障を招き兼ねない。
【０００８】
本発明は、斯かる点に鑑みてなされたものであり、その目的とするところは、糸屑捕集装置が複数備えるフィルタ部材の装着忘れを防止し、乾燥性能の低下を抑制すると共に衣類乾燥機の早期故障を回避することにある。
【課題を解決するための手段】
【０００９】
上記の目的を達成するために、この発明では、一方が他方に着脱可能に収容される２つのフィルタ部材を備え、これら２つのフィルタ部材における互いの着脱状態と乾燥機本体に対する装着状態とを近接センサを利用して検知する着脱検知手段を設けるようにした。
【００１０】
具体的には、本発明は、衣類が収容される回転ドラムと、該回転ドラム内に空気を給気する給気路と、前記回転ドラム内から空気を排気する排気路と、該排気路に設けられて衣類から発生した糸屑を捕集する糸屑捕集装置と、を備えた衣類乾燥機を対象とし、以下の解決手段を講じたものである。
【００１１】
すなわち、第１の発明は、上記の衣類乾燥機であって、
前記糸屑捕集装置は、ケース状の第１フィルタ部材と、該第１フィルタ部材に着脱可能に収容されるケース状の第２フィルタ部材と、前記第１フィルタ部材及び該第１フィルタ部材に収容された第２フィルタ部材が着脱可能に装着されるフィルタケースと、前記第１フィルタ部材及び第２フィルタ部材が前記フィルタケースに装着されているか否かを検知する着脱検知手段と、を備え、
前記着脱検知手段は、前記第１フィルタ部材又は第２フィルタ部材に取り付けられた被検出体と、前記フィルタケースに取り付けられ、前記被検出体の近接を検出する近接センサと、前記第２フィルタ部材が前記第１フィルタ部材に収容されていない場合に前記被検出体が前記近接センサの検出範囲外に位置するように、且つ前記第２フィルタ部材が前記第１フィルタ部材に収容されている場合に前記被検出体が前記近接センサの検出範囲内に位置するように、前記被検出体を移動させる可動機構と、を備える
ことを特徴とする衣類乾燥機。
【００１２】
この第１の発明によると、糸屑捕集装置には第１フィルタ部材及びこれに収容される第２フィルタ部材の２つのフィルタ部材が組み合わせて設けられているので、１つのフィルタ部材しか備えない糸屑捕集装置を用いた場合に比べて、排気中に含まれる糸屑の捕捉率を上げることができる。これにより、衣類から発生した糸屑が排気路や送風ファンに堆積したり凝縮器などに進入して乾燥性能が低下することを抑えると共に、乾燥機が早期に故障することを回避できる。
【００１３】
また、第１フィルタ部材及び第２フィルタ部材とフィルタケースとは着脱可能であり、且つ第２フィルタ部材と第１フィルタ部材とも着脱可能であるので、第１フィルタ部材及び第２フィルタ部材はフィルタケースから取り外して別々に清掃することができ、使用者が糸屑捕集装置を容易にメンテナンスすることができる。
【００１４】
そして、第１フィルタ部材及び第２フィルタ部材のいずれか一方に取り付けられた被検出体と、フィルタケースに取り付けられて被検出体の近接を検出する近接センサと、第１フィルタ部材に対する第２フィルタ部材の着脱状態に応じて近接センサの検出範囲に対する被検出体の位置を移動させる可動機構と、を備える着脱検知手段により、第１フィルタ部材及び第２フィルタ部材の両方がフィルタケースに装着されているか否かを検知することができる。
【００１５】
すなわち、第２フィルタ部材が第１フィルタ部材に収容されていない場合には、第１フィルタ部材及び第２フィルタ部材のいずれか一方に取り付けられた被検出体が可動機構により近接センサの検出範囲外に位置する状態となるので、被検出体が取り付けられたフィルタ部材（第１フィルタ部材又は第２フィルタ部材）のみがフィルタケースに装着されても、被検出体の近接が近接センサにより検出されない。また、被検出体が取り付けられていないフィルタ部材のみがフィルタケースに装着されても、当然ながら被検出体の近接が近接センサにより検出されることはない。よって、近接センサが被検出体の近接を検出しない場合には、第１フィルタ部材及び第２フィルタ部材の少なくともいずれか一方がフィルタケースに装着されていないことを検出できる。
【００１６】
一方、第２フィルタ部材が第１フィルタ部材に収容されている場合には、被検出体が可動機構により近接センサの検出範囲内に位置する状態となるので、その状態で第１フィルタ部材及び第２フィルタ部材がフィルタケースに装着されると、被検出体の近接が近接センサにより検出される。よって、近接センサが被検出体の近接を検出した場合には、第２フィルタ部材及び第１フィルタ部材の両方がフィルタケースに装着されていることを検出できる。
【００１７】
したがって、近接センサが被検出体の近接を検出しない場合には、フィルタ部材の装着忘れを使用者に警告したり、乾燥工程を開始できないようにすることにより、使用者がフィルタ部材を装着し忘れたまま衣類乾燥機で乾燥工程を実行することを防止できる。
【００１８】
第２の発明は、第１の発明の衣類乾燥機において、
前記第２フィルタ部材は、前記第１フィルタ部材に収容された状態で、前記第１フィルタ部材の内部に収容される被収容部と、前記第１フィルタ部材の収容口から外部にはみ出す外出部と、を有し、
前記可動機構は、前記被検出体を保持する保持部材と、前記外出部の外方側面に取り付けられて前記保持部材を前記第１フィルタ部材と前記第２フィルタ部材との着脱方向にスライド可能に支持する支持部材と、を備え、
前記保持部材は、前記支持部材から前記第２フィルタ部材の被収容部側に突出する突出片を有し、
前記突出片は、前記第２フィルタ部材が前記第１フィルタ部材に収容される過程で、前記第１フィルタ部材の収容口の縁部に当接して、前記被検出体を前記近接センサの検出範囲外から検出範囲内に押し込む
ことを特徴とする。
【００１９】
この第２の発明によると、第１の発明における可動機構を簡単な構成で省スペースに実現することができるので、衣類乾燥機本体と糸屑捕集装置との間の既存の隙間を利用して可動機構を配設することができる。これにより、本発明の着脱検知手段を、衣類乾燥機における他の構造体を変形することなく、若しくはその変形を最小限に抑えて、簡単に設けることができる。
【００２０】
第３の発明は、第２の発明の衣類乾燥機において、
前記支持部材は、前記被検出体が前記近接センサの検出範囲内に位置する上側位置と前記近接センサの検出範囲外に位置する下側位置との間で移動するように、前記保持部材を上下方向にスライド可能に支持する
ことを特徴とする。
【００２１】
この第３の発明によっても、第１及び第２の発明の作用効果が具体的に奏される。
【００２２】
第４の発明は、第３の発明の衣類乾燥機において、
前記被検出体は、前記第１フィルタ部材に前記第２フィルタ部材が収容されていない場合に、自重によって前記下側位置に位置する
ことを特徴とする。
【００２３】
この第４の発明によると、被検出体を近接センサの検出範囲外に位置する下側位置に移動させるための手段を設けなくて済むので、第１の発明における可動機構を少ない部品点数で実現することができる。これにより、本発明の着脱検知手段を低コストに実現することができる。
【００２４】
第５の発明は、第３の発明の衣類乾燥機において、
前記被検出体又は保持部材を下方に付勢する付勢部材をさらに備える  
ことを特徴とする。
【００２５】
第２フィルタ部材が第１フィルタ部材に収容されていない場合において、保持部材が滑らかにスライドしないときには、被検出体が近接センサの検出範囲内に位置する上側位置から近接センサの検出範囲外に位置する下側位置に移動し難く、第２フィルタ部材のみがフィルタケースに装着された場合にも、第１フィルタ部材が装着されていないのに近接センサが被検出体の近接を検出してしまい、着脱検知手段が正常に機能しないことが懸念される。
【００２６】
これに対して、第５の発明によると、付勢手段により被検出体又は保持部材が下方に付勢されるので、第２フィルタ部材が第１フィルタ部材に収容されていない場合に保持部材が滑らかにスライドしないときでも、その付勢力によって被検出体を近接センサの検出範囲外に位置する下側位置に強制的に移動させることができる。これにより、着脱検知手段を確実且つ正常に機能させることができる。
【００２７】
また、第５の発明によれば、第２フィルタ部材が第１フィルタ部材に収容された状態でこれら第１フィルタ部材及び第２フィルタ部材がフィルタケースに装着された場合には、付勢部材によって被検出体又は保持部材が下方に付勢されていることにより、保持部材の突出片が第１フィルタ部材の収容口の縁部に押し付けられた状態となるので、被検出体及び保持部材の揺動が制限される。これにより、乾燥工程の実行時において、被検出体及び保持部材ががたつくことを防止し、そのがたつきによる異音の発生を抑えることができる。
【００２８】
第６の発明は、第１〜第５の発明のいずれか１つの衣類乾燥機において、
前記被検出体は磁石であり、
前記近接センサはリードスイッチである
ことを特徴とする。
【００２９】
この第６の発明によっても、第１〜第５の発明の作用効果が具体的に奏される。
【発明の効果】
【００３０】
本発明によれば、糸屑捕集装置に第１フィルタ部材及びこれに収容される第２フィルタ部材の２つのフィルタ部材を組み合わせて設けると共に、第１フィルタ部材及び第２フィルタ部材のいずれか一方に取り付けられた被検出体と、フィルタケースに取り付けられて被検出体の近接を検出する近接センサと、第１フィルタ部材に対する第２フィルタ部材の着脱状態に応じて近接センサの検出範囲に対する被検出体の位置を移動させる可動機構と、を備える着脱検知手段により、第１フィルタ部材及び第２フィルタ部材の両方がフィルタケースに装着されているか否かを検知するようにしたので、糸屑捕集装置が備える第１フィルタ部材及び第２フィルタ部材の装着忘れを防止し、乾燥性能の低下を抑制すると共に衣類乾燥機の早期故障を回避することができる。
【図面の簡単な説明】
【００３１】
【図１】図１は、実施形態１に係る衣類乾燥機の外観を示す斜視図である。
【図２】図２は、実施形態１に係る衣類乾燥機の構成を概略的に示す断面図である。
【図３】図３は、実施形態１に係る糸屑捕集装置の構成を示す分解斜視図である。
【図４】図４は、実施形態１に係る糸屑捕集装置が備える上側フィルタ部材及び着脱検知手段の一部を示す斜視図である。
【図５】図５は、実施形態１に係る糸屑捕集装置において上側フィルタ部材を下側フィルタ部材に収容した状態を示す斜視図である。
【図６】図６は、実施形態１に係る糸屑捕集装置において下側フィルタ部材及び上側フィルタ部材をフィルタケースに装着した状態を示す斜視図である。
【図７】図７は、実施形態１に係る糸屑捕集装置において上側フィルタ部材のみをフィルタケースに装着した状態を示す斜視図である。
【図８】図８は、実施形態１の変形例に係る移動機構を示す上側フィルタ部材の側面図である。
【図９】図９は、実施形態２に係る糸屑捕集装置において上側フィルタ部材を下側フィルタ部材に収容する途中の状態を示す側面図である。
【図１０】図は、実施形態２に係る糸屑捕集装置において上側フィルタ部材を下側フィルタ部材に完全に収容した状態を示す側面図である。
【図１１】図１１は、実施形態２に係る糸屑捕集装置において下側フィルタ部材及び上側フィルタ部材をフィルタケースに装着した状態を示す側面図である。
【図１２】図１２は、実施形態２に係る糸屑捕集装置において上側フィルタ部材のみをフィルタケースに装着した状態を示す側面図である。
【図１３】図１３は、実施形態３に係る糸屑捕集装置において上側フィルタ部材を下側フィルタ部材に収容する途中の状態を示す前面図である。
【図１４】図１４は、実施形態３に係る糸屑捕集装置において上側フィルタ部材を下側フィルタ部材に収容する過程を示す前面図である。
【図１５】図１５は、実施形態３に係る糸屑捕集装置において下側フィルタ部材及び上側フィルタ部材をフィルタケースに装着した状態を示す前面図である。
【図１６】図１６は、実施形態３に係る糸屑捕集装置において上側フィルタ部材のみをフィルタケースに装着した状態を示す前面図である。
【図１７】図１７は、実施形態４に係る糸屑捕集装置において上側フィルタ部材を下側フィルタ部材に収容する途中の状態を示す側面図である。
【図１８】図１８は、実施形態４に係る糸屑捕集装置において上側フィルタ部材を下側フィルタ部材に完全に収容した状態を示す側面図である。
【図１９】図１９は、実施形態４に係る糸屑捕集装置において上側フィルタ部材及び下側フィルタ部材をフィルタケースに装着した状態を示す側面図である。
【図２０】図２０は、実施形態４に係る糸屑捕集装置において下側フィルタ部材のみをフィルタケースに装着した状態を示す側面図である。
【発明を実施するための形態】
【００３２】
以下、本発明の実施形態を図面に基づいて詳細に説明する。なお、以下の実施形態の説明は本質的に例示に過ぎず、本発明、その適用物或いはその用途を制限することを意図するものではない。
【００３３】
《発明の実施形態１》
図１は、この実施形態１に係る衣類乾燥機１０の外観を示す斜視図である。図２は、衣類乾燥機１０の概略構成を示す断面図である。なお、図２中の矢印は、衣類乾燥機１０で乾燥工程を実行しているときの空気の流れを示している。
【００３４】
本実施形態の衣類乾燥機１０は、図１及び図２に示すように、ケーシング１１と、該ケーシング１１の内部に設けられて衣類１００が収容される回転ドラム１３と、該回転ドラム１３を回転させる駆動モータ（不図示）と、前記回転ドラム１３内に空気を給気する給気路１５と、該給気路１５に設けられた凝縮器１７及び加熱器１９と、前記回転ドラム１３内から空気を排気する排気路２１と、該排気路２１に設けられた糸屑捕集装置３０及び蒸発器２３と、を備えている。
【００３５】
ケーシング１１の前面には、開閉ドア１２によって開閉される開口部１１ａが形成されている。回転ドラム１３は、前方が開口した円筒状に形成されている。この回転ドラム１３の開口は、ケーシング１１の開口部１１ａに対応して配置されていて、開閉ドア１２を開閉することで、回転ドラム１３の内部に衣類１００を投入することができるようになっている。
【００３６】
このケーシング１１の前面における開口部１１ａの上方には、運転スイッチを含む各種スイッチを備えた操作パネル及び表示パネル（不図示）が設けられている。運転スイッチは、電源に接続されており、運転スイッチをＯＮ状態にすることで衣類乾燥機１０が起動される。
【００３７】
また、ケーシング１１の内部には、制御部（不図示）が設けられている。制御部には、各種センサからの信号が入力されると共に、上記回転ドラム１３の駆動モータ、凝縮器１７、加熱器１９及び蒸発器２３などが接続されている。この制御部は、駆動モータの回転数や凝縮器１７の凝縮量、加熱器１９の加熱量、蒸発器２３の蒸発量などを制御する。
【００３８】
ケーシング１１の後面における下部には、当該ケーシング１１の内部に外部から空気を取り込む空気取込部１４が設けられている。この空気取込部１４は、例えば、ケーシング１１の内方から外方に向かって下傾姿勢に設けられた複数の羽板１４ａを有する背面グリル１４によって構成されている。
【００３９】
そして、ケーシング１１の内部における回転ドラム１３の下方には、給気路１５に空気を吸い込む吸気部１６が設けられている。この吸気部１６は、給気路１５の吸気口１５ａを構成し、送風ファン１６ａを備えている。この送風ファン１６ａを回転させて送風動作を行うと、ケーシング１１内の空気が給気路１５に吸い込まれて凝縮器１７及び加熱器１９に順に送られる。
【００４０】
凝縮器１７は、例えば吸気部１６に隣接して配置されており、吸気部１６により吸い込んだ空気中の水分を液化して取り除き乾燥空気を生成する。加熱器１９は、凝縮器１７よりも下流側で給気路１５の途中に配置されており、空気を加熱して温風を生成する。この加熱器１９は、例えばヒートポンプ式の加熱器である。なおその他、加熱器１９としては、電気ヒータを用いていても構わない。
【００４１】
上記凝縮器１７及び加熱器１９を経由して生成された温風は、回転ドラム１３の後方上側、つまりドラム開口とは反対側の上部に設けられた給気口１５ｂから回転ドラム１３内に送り込まれる。これにより、回転ドラム１３内に収容された衣類１００を温風に曝して乾燥させることができる。そして、回転ドラム１３内に送り込まれた空気は、回転ドラム１３の前方下側に設けられた吸気口２１ａから排気路２１に吸い込まれて、ケーシング１１の後面における下部に設けられた排気口２１ｂからケーシング１１の外部に排気される。
【００４２】
糸屑捕集装置３０は、排気路２１の吸気口２１ａを構成するように設置されている。糸屑捕集装置３０よりも下流側で排気路２１の途中には送風ファン２２が配設されている。この送風ファン２２を回転させて送風動作を行うと、回転ドラム１３内の空気が吸気口２１ａから排気路２１に吸い込まれて糸屑捕集装置３０を経由して蒸発器２３に送られた後に排気される。糸屑捕集装置３０は、衣類１００の乾燥に伴って発生する糸屑を空気中から濾過して捕集する。蒸発器２３は、空気中に含まれる水分を加熱するなどして蒸気に変化させる。
【００４３】
本発明は、糸屑捕集装置３０の構成に特徴を有するので、糸屑捕集装置３０について、以下に図３〜図７を参照しながら詳述する。
【００４４】
図３は、本実施形態における糸屑捕集装置３０の構成を示す分解斜視図である。図４は、糸屑捕集装置３０が備える上側フィルタ部材３５及び着脱検知手段５０の一部を示す斜視図である。図５は、糸屑捕集装置３０において上側フィルタ部材３５を下側フィルタ部材３１に収容した状態を示す斜視図である。図６は、糸屑捕集装置３０において下側フィルタ部材３１及び上側フィルタ部材３５をフィルタケース４３に装着した状態を示す斜視図である。図７は、糸屑捕集装置３０において上側フィルタ部材３５のみをフィルタケース４３に装着した状態を示す斜視図である。
【００４５】
糸屑捕集装置３０は、図３に示すように、中空のケース状に形成された第１フィルタ部材である下側フィルタ部材３１と、該下側フィルタ部材３１に対して上下方向に着脱可能に収容される中空のケース状に形成された第２フィルタ部材である上側フィルタ部材３５と、下側フィルタ部材３１及び該下側フィルタ部材３１に収容された上側フィルタ部材３５が着脱可能に装着されるフィルタケース４３と、下側フィルタ部材３１及び上側フィルタ部材３７がフィルタケース４３に装着されているか否かを検知する着脱検知手段５０と、を備えている。
【００４６】
下側フィルタ部材３１は、上方に開口する収容口３１ａを有し、ポリプロピレン（ＰＰ）などの硬質樹脂で形成された枠体３２に不織布などの布製のフィルタ３３が張られた構造を有する。枠体３２は、収容口３１ａを形成する開口枠部３２ａと、該開口枠部３２ａの下側に一体に形成されたフィルタ保持部３２ｂと、を備えている。
【００４７】
開口枠部３２ａは、上下方向に所定の幅を有し、フィルタ保持部３２ｂよりも厚く形成されて下側フィルタ部材３１に剛性を確保している。フィルタ保持部３２ｂは、例えば、矩形箱型を成す格子状に形成されていて、下側フィルタ部材３１の骨組みを構成している。上記フィルタ３３は、このフィルタ保持部３２ｂの格子間に張られている。
【００４８】
上側フィルタ部材３５は、図３及び図４に示すように、後方上側（回転ドラム１３の開口側）に空気が送入される送入口（不図示）を有し、ポリプロピレン（ＰＰ）などの硬質樹脂で形成された枠体３６に不織布などの布製のフィルタ３７が張られた構造を有する。枠体３６は、前記送入口を形成する開口枠部３６ａと、該開口枠部３６ａの下側に一体に形成されたフィルタ保持部３６ｂと、を備えている。
【００４９】
開口枠部３６ａは、上下方向に所定の幅を有し、フィルタ保持部３６ｂよりも厚く形成されて上側フィルタ部材３５に剛性を確保している。この開口枠部３６ａの上記送入口を含む上部とそれに続く後側部分は、回転ドラム１３の開口周縁に倣う円弧形状に形成されている。また、開口枠部３６ａの送入口を含む上部とそれに続く後側部分には、左右両側に延びる庇状のカバー部３６ｃが設けられている。フィルタ保持部３６ｂは、下方に向かって内部容積が次第に狭まる台形箱型を成す格子状に形成されていて、上側フィルタ部材３５の骨組みを構成している。上記フィルタ３７は、このフィルタ保持部３６ｂの格子間に張られている。
【００５０】
また、上側フィルタ部材３５は、図４及び図５に示すように、下側フィルタ部材３１に収容された状態で、下側フィルタ部材３１の内部に収容される被収容部３８と、下側フィルタ部材３１の収容口３１ａから外部にはみ出す外出部３９と、を有している。被収容部３８には、上記フィルタ保持部３６ｂの全体と、開口枠体３６ａの下側の一部と、が含まれる。外出部３９の後側には、上側フィルタ部材３５を下側フィルタ部材３１に収容したときに、下側フィルタ部材３１の収容口３１ａの縁部に当接して下側フィルタ部材３１に対する上側フィルタ部材３５の収容位置を位置決めする当接部４０が設けられている。
【００５１】
フィルタケース４３は、図３に示すように、上下両側に開口した略筒形の枠状に形成されている。フィルタケース４３の上側の開口は、上側フィルタ部材３５の送入口に対応して後側にも円弧形状に広く形成され、排気路２１の吸気口２１を構成している。このフィルタケース４３には、上側フィルタ部材３５を下側フィルタ部材３１に収容した状態で、これら両フィルタ部材３１，３５を上方から内側に挿通させることにより、図６に示すように、下側フィルタ部材３１及び上側フィルタ部材３５が装着される。この装着状態では、下側フィルタ部材３１及び上側フィルタ部材３５の開口枠部３２ａ，３６ａが当該フィルタケース４３の内側に配置された位置に保持される。すなわち、フィルタケース４３は、両フィルタ部材３１，３５の装着状態において、上側フィルタ部材３５の外出部３８を覆うようになっている。
【００５２】
フィルタケース４３の上側開口の周縁には、衣類乾燥機１０本体における当該フィルタケース４３の周囲の部分と隙間なく配置される庇状のカバー部４４が形成されている。このカバー部４４においてフィルタケース４３の左右両側に位置する部分は、比較的幅広に形成されていて、その後側部分の前面側にネジ止め孔４５ａを有する被固定部４５がそれぞれ突設されている。そして、フィルタケース４３は、衣類乾燥機１０本体に対して、左右両側に設けられた被固定部４４にてネジ止めなどにより固定されている。
【００５３】
着脱検知手段５０は、図３に示すように、上側フィルタ部材３５に取り付けられた被検出体である例えば矩形状の磁石５１と、該磁石５１の近接を検出する近接センサであるリードスイッチ５３と、下側フィルタ部材３１に対する上側フィルタ部材３５の着脱状態に応じてリードスイッチ５３の検出範囲に対する磁石５１の位置を移動させる可動機構５７と、を備えている。
【００５４】
可動機構５７は、図３及び図４に示すように、磁石５１を保持する保持部材５９と、該保持部材５９を下側フィルタ部材３１と上側フィルタ部材３５との着脱方向、つまり上下方向にスライド可能に支持する支持部材６１と、を備え、下側フィルタ部材３１と上側フィルタ部材３５との着脱に応じて、磁石５１を、上側フィルタ部材３５の外出部３９における外方側面に沿って上下方向にスライド移動させるように構成されている。
【００５５】
保持部材５９は、磁石５１が嵌め込まれた例えば矩形状の枠部５９ａと、該枠部５９ａの下辺部分から下方、つまり上側フィルタ部材３５の被収容部３９側に突出する一対の突出片５９ｂと、で構成されている。
【００５６】
支持部材６１は、上側フィルタ部材３５における外出部３８の外方側面に設けられた例えばＬ字状の位置決め凸部４１にて位置決めされ、該外出部３９の外方側面に対して所定の位置に配置されている。そして、支持部材６１は、上部にネジ止め孔６１ａを有し、該ネジ止め孔６１ａを挿通させたネジ６３により上側フィルタ部材３３における外出部３９の外方側面にネジ止めして固定されている。
【００５７】
この支持部材６１は、上側フィルタ部材３５に対する取付け側が解放された縦長中空のケース状に形成され、その内側に保持部材５９の枠部５９ａと共に磁石５１を収容する収容空間６１ｓを有している。この収容空間６１ｓは、保持部材５９の枠部５９ａにおける左右の辺部分よりも縦方向に長く、保持部材５９の枠部５９ａにおける上下の辺部分が横方向に緩く嵌まった状態で収まる広さに形成されている。そして、磁石５１は、保持部材５９の枠部５９ａと共に、支持部材６１の収容空間６１ｓにおける下側位置Ｐ１と上側位置Ｐ２との間で上下方向に移動自在になっている。
【００５８】
支持部材６１の下部には、上側フィルタ部材３５の外出部３９側に切欠部６１ｂが形成されている。この切欠部６１ｂには、保持部材５９が有する一対の突出片５９ｂが挿通されている。保持部材５９の突出片５９ｂは、上側フィルタ部材３５の外出部３９において切欠部６１ｂよりも下側に位置する部分の上下方向の長さよりも長く形成されていて、切欠部６１ｂから支持部材６１の下方に突出し、その先端が下側フィルタ部材３１における収容口３１ａの縁部に対応する位置に配置されている。
【００５９】
この突出片５９ｂにおける挿通口６１ｂからの突出度合は、上側フィルタ部材３５が下側フィルタ部材３１に収容されているか否かに応じて変更され、それに準じて磁石５１が支持部材６１における収容空間６１ｓの下側位置Ｐ１と上側位置Ｐ２との間で移動する。
【００６０】
すなわち、上側フィルタ部材３５が下側フィルタ部材３１に収容されていない場合には、図４に示すように、磁石５１が保持部材５９の枠部５９ａと共に自重によって上記収容空間６１ｓの下側位置Ｐ１に配置され、保持部材５９の突出片５９ｂの略全体が支持部材６１の挿通口６１ｂから下方に突出した状態となる。一方、上側フィルタ部材３５が下側フィルタ部材３１に収容されている場合には、上側フィルタ部材３５が下側フィルタ部材３１に収容される過程で、保持部材５９の突出片５９ｂの先端が下側フィルタ部材３１の収容口３１ａの縁部に当接して、図５に示すように、該突出片５９ａの略全体が支持部材６１の収容空間６１ｓ内に押し込まれ、その結果、保持部材５９の枠部５９ａに保持された磁石５１が前記収容空間６１ｓの上側位置Ｐ２にまで押し上げられた状態となる。
【００６１】
リードスイッチ５３は、図３及び図６に示すように、フィルタケース４３において支持部材６１の収容空間６１ｓにおける上側位置Ｐ２に対応する箇所に、センサケース５５に収容された状態で配置されている。
【００６２】
センサケース５５は、縦断面Ｌ字状に形成され、フィルタケース４３の外方側面に設けられた突条壁４６と組み合わせられてリードスイッチ５３を収容している。センサケース５５は、ネジ止め孔５５ａが形成された突片５５ｂを有し、該ネジ止め孔５５ａを挿通させたネジ５６によりフィルタケース４３のカバー部４４にネジ止めして固定されている。
【００６３】
リードスイッチ５３の検出範囲は、当該リードスイッチ５３に対応する箇所とその周辺を含む範囲である。支持部材６１の収容空間６１ｓにおいて、下側位置Ｐ１はリードスイッチ５３の検出範囲外の位置であり、上側位置Ｐ２はリードスイッチ５３の検出範囲内の位置である。支持部材６１の収容空間６１ｓの上下方向における長さは、保持部材５９の枠部５９ａと共に磁石５１が下側位置Ｐ１に配置されたときに、該磁石５１がリードスイッチ５３に対して上下方向に例えば１７ｍｍ〜２０ｍｍ程度離間するように設定されている。
【００６４】
上記リードスイッチ５３は、上記制御部に接続されていて、該制御部に信号を入力するようになっている。上記制御部は、磁石５１の近接がリードスイッチ５３により検出された場合に、下側フィルタ部材３１と上側フィルタ部材３５との両方がフィルタケース４３に装着されていることを検知して、衣類乾燥機１０を乾燥工程が実行可能な状態に制御する。一方、制御部は、磁石５１の近接がリードスイッチ５３により検出されない場合には、下側フィルタ部材３１及び上側フィルタ部材３５の少なくともいずれか一方がフィルタケース４３に装着されていないことを検知して、表示パネルにフィルタ部材３１，３５の装着忘れを示すエラー表示を行うと共に、衣類乾燥機１０を乾燥工程が開始できない状態に制御する。
【００６５】
上記構成の糸屑捕集装置３０では、上側フィルタ部材３５が下側フィルタ部材３１に収容されると、図５に示すように、可動機構５７により磁石５１が支持部材６１の収容空間６１ｓにおいてリードスイッチ５３の検出範囲内に位置する上側位置Ｐ２に配置された状態となる。そして、その状態でこれら両フィルタ部材３１，３５がフィルタケース４３に装着されると、図６に示すように、磁石５１がリードスイッチ５３の検出範囲内に配置されるので、磁石５１の近接がリードスイッチ５３により検出されて、衣類乾燥機１０が乾燥工程を実行可能な状態となる。
【００６６】
一方、上側フィルタ部材３５が下側フィルタ部材３１に収容されていない場合には、図４に示すように、上側フィルタ部材３５に取り付けられた磁石５１がリードスイッチ５３の検出範囲外に位置する下側位置Ｐ１に配置された状態となる。このため、図７に示すように、上側フィルタ部材３５のみがフィルタケース４３に装着されても、磁石５１の近接がリードスイッチ５３により検出されない。また、磁石５１が取り付けられてない下側フィルタ部材３１のみがフィルタケース４３に装着されても、当然ながら磁石５１の近接がリードセンサ５３により検出されるとはない。このように、リードスイッチ５３が磁石５１の近接を検出しない場合には、表示パネルにフィルタ部材３１，３５の装着忘れを示すエラー表示が行われると共に、衣類乾燥機１０が乾燥工程を開始できない状態となる。
【００６７】
−実施形態１の効果−
この実施形態１によると、糸屑捕集装置３０には下側フィルタ部材３１及びこれに収容される上側フィルタ部材３５の２つのフィルタ部材３１，３５が組み合わせて設けられているので、１つのフィルタ部材しか備えない糸屑捕集装置を用いた場合に比べて、排気中に含まれる糸屑の捕捉率を上げることができる。これにより、衣類１００から発生した糸屑が排気路２１や送風ファン２２に堆積したり凝縮器２３などに進入して乾燥性能が低下することを抑えると共に、衣類乾燥機１０が早期に故障することを回避できる。
【００６８】
また、下側フィルタ部材３１及び上側フィルタ部材３５とフィルタケース４３とは着脱可能であり、且つ下側フィルタ部材３１と上側フィルタ部材３５とも着脱可能であるので、これら下側フィルタ部材３１及び上側フィルタ部材３５はフィルタケース４３から取り外して別々に清掃することができる。これにより、使用者が糸屑捕集装置３０を容易にメンテナンスすることができる。
【００６９】
そして、上側フィルタ部材３５に取り付けられた磁石５１と、フィルタケース４３に取り付けられて磁石５１の近接を検出するリードスイッチ５３と、下側フィルタ部材３１に対する上側フィルタ部材３５の着脱状態に応じてリードスイッチ５３の検出範囲に対する磁石５１の位置を移動させる可動機構５７と、を備える着脱検知手段５０により、下側フィルタ部材３１及び上側フィルタ部材３５の両方がフィルタケース４３に装着されているか否かを検知し、下側フィルタ部材３１及び上側フィルタ部材３５のうち一方でもフィルタケース４３に装着されていない場合には、フィルタ部材３１，３５の装着忘れを使用者にエラー表示で警告すると共に、乾燥工程を開始できないようにするので、使用者がフィルタ部材３１，３５を装着し忘れたまま衣類乾燥機１０で乾燥工程を実行することを防止できる。
【００７０】
したがって、本実施形態の衣類乾燥機１０によれば、糸屑捕集装置３０が備える上側フィルタ部材３１及び下側フィルタ部材３５の装着忘れを防止することができ、乾燥性能の低下を抑制すると共に、衣類乾燥機１０の早期故障を回避することができる。
【００７１】
また、本実施形態の衣類乾燥機１０によれば、可動機構５７が磁石５１を上側フィルタ部材３５の外出部３９における外方側面に沿って移動させるように構成されているので、該可動機構５７を簡単な構成で省スペースに実現することができる。これにより、着脱検知手段５０をフィルタケース４３や衣類乾燥機１０の他の構造体を変形することなく、若しくはその変形を最小限に抑えて、簡単に設けることができる。
【００７２】
また、本実施形態の衣類乾燥機１０によれば、上側フィルタ部材３５が下側フィルタ部材３１に収容されていない場合に、磁石５１が自重によって支持部材６１の収容空間における下側位置Ｐ１に位置する構成となっているので、可動機構５７を少ない部品点数で実現することができる。これにより、着脱検知手段５０を低コストに実現することができる。
【００７３】
《実施形態１の変形例》
図８は、この変形例に係る移動機構５７を示す上側フィルタ部材３５の側面図である。
【００７４】
上記実施形態１では、磁石５１が保持部材５９の枠部５９ａと共に自重によって支持部材６１の収容空間６１ｓにおける下側位置Ｐ１に配置される構成としたが、本変形例では、移動機構５７が、保持部材５９を下方に付勢する付勢部材であるバネ６２をさらに備え、該バネ６２の付勢力によって磁石５１を保持部材５９の枠部５９ａと共に前記収容空間６１ｓの下側位置Ｐ１に配置させる構成を採用している。
【００７５】
上記バネ６２は、支持部材６１の収容空間６１ｓにおいて、支持部材６１の上側の内壁と保持部材５９の枠部５９ａとの間に上下方向に不勢力を及ぼすように介設されている。バネ６２としては、例えばコイルばねが用いられる。これにより、磁石５１を保持する保持部材５９は、支持部材６１の収容空間６１ｓで下方に付勢され、上側フィルタ部材３５が下側フィルタ部材３１に収容されていない場合には、枠部５９ａの下端が支持部材６１における下側の内壁部分に押し付けられた状態となって、磁石５１がリードスイッチ５３の検出範囲外に位置する下側位置Ｐ１に配置される。
【００７６】
仮に、上側フィルタ部材３５が下側フィルタ部材３１に収容されていない場合において、保持部材５９が滑らかにスライドしないときには、磁石５１がリードスイッチ５３の検出範囲内に位置する上側位置Ｐ２からリードスイッチ５３の検出範囲外に位置する下側位置Ｐ１に移動し難く、上側フィルタ部材３５のみがフィルタケース４３に装着された場合にも、下側フィルタ部材３１が装着されていないのにリードスイッチ５３が磁石５１の近接を検出してしまい、着脱検知手段５０が正常に機能しないことが懸念される。
【００７７】
これに対して、本変形例によれば、バネ６２により保持部材５９が下方に付勢されるので、上側フィルタ部材３５が下側フィルタ部材３１に収容されていない場合に保持部材５９が滑らかにスライドしないときでも、その付勢力によって保持部材５９を強制的にスライドさせて、磁石５１をリードスイッチ５３の検出範囲外に位置する下側位置Ｐ１に移動させることができる。これにより、移動機構５７、ひいては着脱検知手段５０を確実且つ正常に機能させることができる。
【００７８】
また、本変形例によれば、上側フィルタ部材３５が下側フィルタ部材３１に収容された状態でこれら両フィルタ部材３１，３５がフィルタケース４３に装着された場合には、バネ６２によって保持部材５９が下方に付勢されていることで、保持部材５９の突出片５９ｂが下側フィルタ部材３１の収容口31ａの縁部に押し付けられた状態となるので、保持部材５９の揺動が制限される。これにより、乾燥工程の実行時において、保持部材５９ががたつくことを防止し、そのがたつきによる異音の発生を抑えることができる。
【００７９】
なお、上記変形例では、上記実施形態１を踏襲して保持部材５９が矩形状の枠部５９ａで磁石５１を保持する形態を示したが、本発明はこれに限らない。保持部材５９は、例えば上辺部分のないＵ字状に形成された枠部で磁石５１を保持していてもよい。この場合には、上記バネ６２は、支持部材６１の収容空間６１ｓにおいて、支持部材６１の上側の内壁と保持部材５９に保持された磁石５１との間に上下方向に付勢力を及ぼすように介設される。
【００８０】
《発明の実施形態２》
図９〜図１２は、この実施形態２における糸屑捕集装置３０の構成を示している。なお、以降の各実施形態では、糸屑捕集装置３０のうち着脱検知手段５０の構成が上記実施形態１と異なる他は衣類乾燥機１０について上記実施形態１と同様に構成されているので、構成の異なる着脱検知手段５０についてのみ説明し、同一の構成箇所は図１〜図８に基づく上記実施形態１の説明に譲ることにして、その詳細な説明を省略する。
【００８１】
図９は、上側フィルタ部材３５を下側フィルタ部材３１に収容する途中の状態を示す側面図である。図１０は、上側フィルタ部材３５を下側フィルタ部材３１に完全に収容した状態を示す側面図である。図１１は、下側フィルタ部材３１及び上側フィルタ部材３５をフィルタケース４３に装着した状態を示す側面図である。図１２は、上側フィルタ部材３５のみをフィルタケース４３に装着した状態を示す側面図である。
【００８２】
上記実施形態１では、可動機構５７が磁石５１を上下方向にスライドさせることでリードスイッチ５３に対する磁石５１の位置を移動させる構成を有しているとしたが、本実施形態の可動機構５７は、磁石５１を、その側方に配置されて上側フィルタ部材３５の外出部３９における外方側面に垂直な軸６３周りに外出部３９の外方側面に沿って回動させることで、該磁石５１のリードスイッチ５３に対する位置を、リードスイッチ５３の検出範囲外に位置する下側位置Ｐ１と、リードスイッチ５３の検出範囲内に位置する上側位置Ｐ２との間で移動させる構成を有している。
【００８３】
具体的には、可動機構５７は、図９に示すように、上側フィルタ部材３５の外出部３９における外方側面に磁石５１を支持する支持部材６１と、下側フィルタ部材３１の収容口３１ａの縁部から上方に突出した突出片６５と、を備えている。
【００８４】
支持部材６１は、一端部に磁石５１を保持する矩形状の枠部６１ａを有し、該枠部６１ａの後側の辺部分（図９で右辺部分）から該辺部分を延長するように線状部６１ｂが延びるＰ字状に形成されている。この支持部材６１の線状部６１ｂの先端部分は、上側フィルタ部材３５の外出部３８における外方側面に、該外方側面に垂直に設けられた軸６３により所定の角度範囲で回転可能に留められている。この軸６３は、リードスイッチ５３に対応する箇所の後方側に配置されている。これにより、磁石５１は、支持部材６１により前記軸６３周りに前方（図９で時計回りに）回動可能に支持されている。
【００８５】
支持部材６１は、上側フィルタ部材３５が下側フィルタ部材３１に収容されていない場合に、線状部６１ｂが上側フィルタ部材３５と下側フィルタ部材３１との着脱方向、つまり上下方向に対して前方斜め方向に延びる傾斜姿勢に保持される。この傾斜姿勢は、図９に示すように、上側フィルタ部材３５を下側フィルタ部材３１に収容するときに、支持部材６１の枠部６１ａの後側の辺部分が下側フィルタ部材３１に設けられた突出片６５の先端に当接する程度に傾いた姿勢であり、当該傾斜姿勢では、磁石５１がリードスイッチ５３の検出範囲外に位置する下側位置Ｐ１に配置される。
【００８６】
下側フィルタ部材３１に設けられた突出片６５は、図１０に示すように、下側フィルタ部材３１と一体に形成され、上側フィルタ部材３５を下側フィルタ部材３１に収容する過程で、支持部材６１を上方に持ち上げて軸６３周りに前方に回動させる。そして、突出片６５は、上側フィルタ部材３５が下側フィルタ部材３１に完全に収容されたときに、支持部材６１の線状部６１ｂを水平姿勢に支持する程度の長さを有している。この水平姿勢では、磁石５１がリードスイッチ５３の検出範囲内に位置する上側位置Ｐ２に配置される。
【００８７】
上記構成の糸屑捕集装置３０では、上側フィルタ部材３５が下側フィルタ部材３１に収容されると、図１０に示すように、可動機構５７により磁石５１がリードスイッチ５３の検出範囲内に位置する上側位置Ｐ２に配置された状態となる。そして、その状態でこれら両フィルタ部材３１，３５がフィルタケース４３に装着されると、図１１に示すように、磁石５１がリードスイッチ５３の検出範囲内に配置されるので、磁石５１の近接がリードスイッチ５３により検出されて、衣類乾燥機１０が乾燥工程を実行可能な状態となる。
【００８８】
一方、上側フィルタ部材３５が下側フィルタ部材３１に収容されていない場合には、上側フィルタ部材３５に取り付けられた磁石５１がリードスイッチ５３の検出範囲外に位置する下側位置Ｐ２に配置された状態となる。このため、図１２に示すように、上側フィルタ部材３５のみがフィルタケース４３に装着されても、磁石５１の近接がリードスイッチ５３により検出されない。また、磁石５１が取り付けられていない下側フィルタ部材３１のみがフィルタケース４３に装着されても、当然ながら磁石５１の近接がリードスイッチ５３により検出されることはない。このように、リードスイッチ５３が磁石５１の近接を検出しない場合には、表示パネルにフィルタ部材３１，３５の装着忘れを示すエラー表示が行われると共に、衣類乾燥機１０が乾燥工程を開始できない状態となる。
【００８９】
−実施形態２の効果−
したがって、この実施形態２によっても、糸屑捕集装置３０が備える上側フィルタ部材３１及び下側フィルタ部材３５の装着忘れを防止することができ、乾燥性能の低下を抑制すると共に、衣類乾燥機１０の早期故障を回避することができる。
【００９０】
《発明の実施形態３》
図１３〜図１６は、この実施形態３における糸屑捕集装置３０の構成を示している。図１３は、糸屑捕集装置３０の構成を示す図であって、上側フィルタ部材３５を下側フィルタ部材３１に収容する途中の状態を示す前面図である。図１４は、上側フィルタ部材３５を下側フィルタ部材３１に収容する過程を示す前面図である。図１５は、下側フィルタ部材３１及び上側フィルタ部材３５をフィルタケース４３に装着した状態を示す前面図である。図１６は、上側フィルタ部材３５のみをフィルタケース４３に装着した状態を示す前面図である。
【００９１】
本実施形態の可動機構５７は、磁石５１を、その上方に配置されて上側フィルタ部材３５の外出部３９における外方側面に平行な前後方向に延びる軸７３周りに外出部３９の外方側面に対して接近又は離間する方向に回動させることで、該磁石５１のリードスイッチ５３に対する位置を、該リードスイッチ５３の検出範囲外に位置する下側位置Ｐ１と、該リードスイッチ５３の検出範囲内に位置する上側位置Ｐ２との間で移動させる構成を有している。
【００９２】
具体的には、可動機構５７は、図１３に示すように、上側フィルタ部材３５の外出部３９における外方側面に磁石５１を支持する支持部材７１と、下側フィルタ部材３１の収容口３１ａの縁部から上方に突出した突出片７５と、を備えている。
【００９３】
支持部材７１は、一方向に延びる小形の短冊状に形成されている。この支持部材の一端部（図１３で下側端部）には磁石５１が保持されている。一方、支持部材７１の他端部（図１３で上側端部）は、上側フィルタ部材３５のカバー部３６ｃに、上側フィルタ部材３５の外出部３９における外方側面に平行な前後方向に延びる軸７３により所定の角度範囲で回転可能に留められている。この軸７３は、上側フィルタ部材３５のカバー部３６ｃにおける後側部分の上端付近であって且つ上側フィルタ部材３５の外出部３９における外方側面寄りに配置されている。これにより、磁石５１は、支持部材７１によって前記軸７３周りに、上側フィルタ部材３５の外出部３９における外方側面に対して接近又は離間する方向に回動可能に支持されている。
【００９４】
支持部材７１は、上側フィルタ部材３５が下側フィルタ部材３１に収容されていない場合に、上記軸７３側から下方に向かうに従って上側フィルタ部材３５の外出部３９における外方側面から次第に離間するようにその外方側面に対して比較的緩やかに傾斜する第１の傾斜姿勢に保持される。この第１の傾斜姿勢は、図１３に示すように、上側フィルタ部材３５を下側フィルタ部材３１に収容するときに、支持部材７１の、上側フィルタ部材３５の外出部３９側に位置する角部若しくは面が、下側フィルタ部材３１に設けられた突出片７５の先端部に当接する程度に傾いた姿勢である。当該傾斜姿勢では、磁石５１がリードスイッチ５３の検出範囲外に位置する下側位置Ｐ１に配置される。
【００９５】
下側フィルタ部材３１に設けられた突出片７５は、下側フィルタ部材３１と一体に形成され、その先端部分が鉤状に形成されていて、上下方向に延びる本体部７５ａと、該本体部７５ａの先端から下側フィルタ部材３１の外方に折り曲げられた折曲部７５ｂとを有する。この突出片７５は、図１４に示すように、上側フィルタ部材３５が下側フィルタ部材３１に収容される過程で、支持部材７１に当接しつつ上側フィルタ部材３５の外出部３９における外方側面と支持部材７１との間に介挿されていき、支持部材６１を上方に持ち上げて軸７３周りに上側フィルタ部材３５の外方に向けて回動させる。そして、突出片７５は、上側フィルタ部材３５を下側フィルタ部材３１に完全に収容した状態で、支持部材７１を第１の傾斜姿勢から例えば３８°〜４０°程度回動した第２の傾斜姿勢に支持する程度の長さに形成されている。この第２の傾斜姿勢では、支持部材７１に保持された磁石５１がリードスイッチ５３の検出範囲内に位置する上側位置Ｐ２に配置される。
【００９６】
本実施形態のフィルタケース４３には、上記磁石５１とその移動機構５７とを収容する収容空間４８を内部に有する収容部４７が設けられている。この収容部４７の上面は、フィルタケース４３の外方に向かって下傾している。上記リードスイッチ５３は、この収容部４７の傾斜した上面に、上記支持部材７１が第２の傾斜姿勢となった際に磁石５１に対応するように取り付けられている。
【００９７】
上記構成の糸屑捕集装置３０では、上側フィルタ部材３５が下側フィルタ部材３１に収容されると、可動機構５７により磁石５１がリードスイッチ５３の検出範囲内に位置する上側位置Ｐ２に配置された状態となる。そして、この状態でこれら両フィルタ部材３１、３５がフィルタケース４３に装着されると、図１５に示すように、磁石５１がリードスイッチ５３の検出範囲内に配置されるので、磁石５１の近接がリードスイッチ５３により検出されて、衣類乾燥機１０が乾燥工程を実行可能な状態となる。
【００９８】
一方、上側フィルタ部材３５が下側フィルタ部材３１に収容されていない場合には、上側フィルタ部材３５に取り付けられた磁石５１がリードスイッチ５３の検出範囲外に位置する下側位置Ｐ２に配置された状態となる。このため、図１６に示すように、上側フィルタ部材３５のみがフィルタケース４３に装着されても、磁石５１の近接がリードスイッチ５３により検出されない。また、磁石５１が取り付けられていない下側フィルタ部材３１のみがフィルタケース４３に装着されても、当然ながら磁石５１の近接がリードスイッチ５３により検出されることはない。このように、リードスイッチ５３が磁石５１の近接を検出しない場合には、表示パネルにフィルタ部材３１，３５の装着忘れを示すエラー表示が行われると共に、衣類乾燥機１０が乾燥工程を開始できない状態となる。
【００９９】
−実施形態３の効果−
したがって、この実施形態３によっても、糸屑捕集装置３０が備える上側フィルタ部材３１及び下側フィルタ部材３５の装着忘れを防止し、乾燥性能の低下を抑制すると共に、衣類乾燥機１０の早期故障を回避することができる。
【０１００】
《発明の実施形態４》
図１７〜図２０は、この実施形態４における糸屑捕集装置３０の構成を示している。図１７は、糸屑捕集装置３０の構成を示す図であって、上側フィルタ部材３５を下側フィルタ部材３１に収容する途中の状態を示す側面図である。図１８は、上側フィルタ部材３５を下側フィルタ部材３１に収容した状態を示す側面図である。図１９は、上側フィルタ部材３５及び下側フィルタ部材３１をフィルタケース４３に装着した状態を示す側面図である。図２０は、下側フィルタ部材３１のみをフィルタケース４３に装着した状態を示す側面図である。
【０１０１】
上記実施形態１〜３では、上側フィルタ部材３５に磁石５１が取り付けられた形態を説明したが、本実施形態では、下側フィルタ部材３１に磁石５１が取り付けられた形態について一例を挙げて説明する。
【０１０２】
下側フィルタ部材３１の収容口３１ａの縁部には、図１７に示すように、磁石５１を支持する支持部材８１が突設されている。この支持部材８１は、縦長の矩形枠状に形成され、その内側に磁石５１を上下方向にスライド可能に支持している。また、支持部材８１における下側の辺部分と磁石５１との間には、付勢部材としてのバネ８３が上下方向に付勢力を及ぼすように介設されている。バネ８３としては、例えばコイルバネが用いられる。これにより、磁石５１は、支持部材８１の内側で上方に付勢され、上側フィルタ部材３５が下側フィルタ部材３１に収容されていない場合には、支持部材８１における上側の辺部分に押し付けられた状態となって、リードスイッチ５３の検出範囲外に位置する上方位置Ｐ２に配置される。
【０１０３】
支持部材８１における上側の上辺部分には、下側フィルタ部材３１における収容口３１ａの開口側に切欠部８１ａが形成されている。一方、上側フィルタ部材３５における外出部３９の外方側面には、例えばＴ字状の凸状部８５が横方向に延びる辺部分を下方に向けて設けられている。この凸状部８５は、上側フィルタ部材３５が下側フィルタ部材３１に完全に収容されたときに、下側フィルタ部材３１に設けられた支持部材８１が対応する位置、例えば支持部材８１の縦方向中程に対応する位置に配置されている。これにより、凸状部８５は、上側フィルタ部材３５が下側フィルタ部材３１に収容される過程で、切欠部８１ａを通って支持部材８１の内側に進入し、磁石５１の上部に当接した後に、該磁石５１を下方に押し下げてリードスイッチ５３の検出範囲内に位置する下側位置Ｐ１に配置させる。
【０１０４】
本実施形態では、上記支持部材８１、バネ８３及び凸状部８５が本発明の可動機構５７を構成している。
【０１０５】
上記構成の糸屑捕集装置３０では、上側フィルタ部材３５が下側フィルタ部材３１に収容されると、図１８に示すように、可動機構５７により磁石５１がリードスイッチ５３の検出範囲内に位置する下側位置Ｐ１に配置された状態となる。そして、この状態でこれら両フィルタ部材３１、３５がフィルタケース４３に装着されると、図１９に示すように、磁石５１がリードスイッチ５３の検出範囲内に配置されるので、磁石５１の近接がリードスイッチ５３により検出されて、衣類乾燥機１０が乾燥工程を実行可能な状態となる。
【０１０６】
一方、上側フィルタ部材３５が下側フィルタ部材３１に収容されていない場合には、下側フィルタ部材３１に取り付けられた磁石５１がリードスイッチ５３の検出範囲外に位置する上側位置Ｐ２に配置される。このため、図１９に示すように、下側フィルタ部材３１のみがフィルタケース４３に装着されても、磁石５１の近接がリードスイッチ５３により検出されない。また、磁石５１が取り付けられていない上側フィルタ部材３１のみがフィルタケース４３に装着されても、当然ながら磁石５１の近接がリードスイッチ５３により検出されることはない。このように、リードスイッチ５３が磁石５１の近接を検出しない場合には、表示パネルにフィルタ部材３１，３５の装着忘れを示すエラー表示が行われて、衣類乾燥機１０が乾燥工程を開始できない状態となる。
【０１０７】
−実施形態４の効果−
したがって、この実施形態４によっても、糸屑捕集装置３０が備える上側フィルタ部材３１及び下側フィルタ部材３５の装着忘れを防止することができ、乾燥性能の低下を抑制すると共に、衣類乾燥機１０の早期故障を回避することができる。その他は、上記実施形態１と同様な効果を得ることができる。
【０１０８】
なお、上記実施形態１〜４では、被検出体として磁石５１を、近接センサとしてリードスイッチ５３をそれぞれ例に挙げて説明したが、本発明はこれに限らない。例えば、被検出体として磁石５１を用いる場合には、近接センサとして半導体の抵抗変化を利用する磁気抵抗素子や、インピーダンス変化を利用するＭＲ素子又はＭＩ素子などの磁気誘導による磁性体近傍の磁場変化を検出可能なものであれば用いることができる。また、被検出体と該被検出体の近接を検出する近接センサには、上記の磁気誘導方式のものに限らず、その他の方式のものを採用することも可能である。
【０１０９】
以上、本発明の好ましい実施形態について説明したが、本発明の技術的範囲は上記各実施形態に記載の範囲に限定されない。上記各実施形態が例示であり、それらの各構成要素の組合せに、さらにいろいろな変形例が可能なこと、またそうした変形例も本発明の範囲にあることは当業者に理解されるところである。
【０１１０】
例えば、上記実施形態１〜４では、乾燥機能専用で直接排気方式の衣類乾燥機１０を例に挙げて説明したが、本発明はこれに限らない。本発明は、洗濯機能及び乾燥機能を有する兼用タイプの洗濯乾燥機にも適用することができる。また、給気路と排気路とが接続されて連通する空気循環方式の衣類乾燥機にも適用することが可能である。
【産業上の利用可能性】
【０１１１】
以上説明したように、本発明は、衣類乾燥機について有用であり、特に、糸屑捕集装置が複数備えるフィルタ部材の装着忘れを防止し、乾燥性能の低下を抑制すると共に乾燥機の早期故障を回避するが要望される衣類乾燥機に適している。
【符号の説明】
【０１１２】
Ｐ１      上側位置
Ｐ２      下側位置
１０      衣類乾燥機
１３      回転ドラム
１５      給気路
２１      排気路
３０      糸屑捕集装置
３１      下側フィルタ部材（第１フィルタ部材）
３１ａ    下側フィルタ部材の収容口
３５      上側フィルタ部材（第２フィルタ部材）
３８      上側フィルタ部材の被収容部
３９      上側フィルタ部材の外出部
４３      フィルタケース
５０      着脱検知手段
５１      磁石（被検出体）
５３      リードスイッチ（近接センサ）
５７      可動機構
５９      保持部材
５９ｂ    保持部材の突出片
６１      支持部材
１００    衣類
【図１】
2014064645.tif 000003
【図２】
2014064645.tif 000004
【図３】
2014064645.tif 000005
【図４】
2014064645.tif 000006
【図５】
2014064645.tif 000007
【図６】
2014064645.tif 000008
【図７】
2014064645.tif 000009
【図８】
2014064645.tif 000010
【図９】
2014064645.tif 000011
【図１０】
2014064645.tif 000012
【図１１】
2014064645.tif 000013
【図１２】
2014064645.tif 000014
【図１３】
2014064645.tif 000015
【図１４】
2014064645.tif 000016
【図１５】
2014064645.tif 000017
【図１６】
2014064645.tif 000018
【図１７】
2014064645.tif 000019
【図１８】
2014064645.tif 000020
【図１９】
2014064645.tif 000021
【図２０】
2014064645.tif 000022